(57)【要約】【課題】車椅子を利用する人の全身を包み、かつ自身で運転操作することも容易に行える機能的な車椅子用防寒カバーを提供する。【解決手段】防寒カバーの素材は芯材を入れた合わせ生地とし、身体の首から足先までの後面と側部を包める大きさで略長方形状の一方端部を所定の高さに折り曲げて成る箱縁４を形成し、その対向側端部に所定の幅で突設する衿部５を設け、かつ、その衿部５の背面と前記箱縁４の外面に、オスメスで一組とする面ファスナー６を設けるとともに、前記箱縁４近くから衿部５近くまでの両サイドにスライドファスナー７又はホックなどを取り付けて成る後カバー本体２を形成し、該後カバー本体２に、前記後カバー本体２の長さと略同じ程度で、かつ箱縁４の幅と同じ程度の幅を成す一方端部に、一定の間隔を空けて突設するバンド帯１４を設けるとともに、該バンド帯１４の背面と、対向側端部の背面に、面ファスナー６を設けて成る前カバー３を形成し、該前カバー３と、前記後カバー本体２の二つを一組とする構成を特徴とする車椅子用防寒カバー１とする。【選択図】図１
0003163818.tif 000002
【実用新案登録請求の範囲】
【請求項１】
車椅子に着座した人用の防寒カバーであって、防寒カバーの素材は芯材を入れた合わせ生地とし、身体の首から足先までの後面と側部を包める大きさで略長方形状の一方端部を所定の高さに折り曲げて成る箱縁を形成し、その対向側端部に所定の幅で突設する衿部を設け、かつ、その衿部の背面と前記箱縁の外面に、オスメスで一組とする面ファスナーを設けるとともに、前記箱縁近くから衿部近くまでの両サイドにスライドファスナーを取り付けて成る後カバー本体を形成し、該後カバー本体に、前記後カバー本体の長さと略同じ程度で、かつ箱縁の幅と同じ程度の幅を成す一方端部に、一定の間隔を空けて突設するバンド帯を設けるとともに、該バンド帯の背面と、対向側端部の背面に、面ファスナーを設けて成る前カバーを形成し、該前カバーと、前記後カバー本体の二つを一組とする構成を特徴とする車椅子用防寒カバー。
【請求項２】
前記する後カバー本体の背面の複数個所に、オス面ファスナーとメス面ファスナーを一組とする係止部材を取り付けた請求項１に記載する車椅子用防寒カバー。
【請求項３】
前記する前カバーのバンド帯寄りの両端部と、後カバー本体の衿部寄り両端部に、一組のホックを取り付けて成る請求項１又は請求項２に記載する車椅子用防寒カバー。
【請求項４】
前記する後カバー本体の内側面に、蓄熱マット等を入れるマット収納袋を取り付けて成る請求項１から請求項３のいずれかの項に記載する車椅子用防寒カバー。
【請求項５】
前記する後カバー本体の背面に、ゴム等の結び紐を取り付けて成る請求項１から請求項４のいずれかの項に記載する車椅子用防寒カバー。
【考案の詳細な説明】
【技術分野】
【０００１】  本考案は、車椅子に乗る人の首から下の全身を温かく包めるとともに、かつ腕を出して自身で自由に操作が行える車椅子用の防寒カバーに関する。
【背景技術】
【０００２】  従来、車椅子を利用する人が外出する際は、車椅子に腰掛けた膝部分に小さな毛布を掛けたり、暖かい膝掛けで包むようにしている。【０００３】  また、胸から下を包む寝袋状の防寒具の前面に、開放できるファスナーを取り付けることで下半身を十分に保温できる防寒具がある。（例えば、特許文献１参照】
【先行技術文献】
【特許文献１】特開平１０−２９２２１２号公報
【考案の概要】
【考案が解決しようとする課題】
【０００４】  前記するように車椅子に着座した人の保温を得るには、従来は膝部分や下半身を温かい素材の膝掛けや毛布で包む方法が多用されている。しかし、この方法だと足回りは完全に防寒できない上、腰周りから上半身の寒さも防げないので、別の毛布などで上半身を包むか、衣服を重ね着したりするなどの不便があった。【０００５】  また特開平１０−２９２２１２号公報に開示する技術は、車椅子を利用する人はもとより、とりわけ車椅子を利用する身障者が車椅子に着座したままでお腹から足元までに包むようにした防寒具である。しかしこの防寒具は寝袋状を成し、かつ足元からお腹近くまで包む形態ではあるので、次のような不便や欠点がある。まず、つま先から脚、腰周りまでを寝袋状に包めることは下半身の保温は維持できるが、お腹周りから上部は覆えない上、前面の胸部位だけ覆える矩形状の覆い部が面ファスナーで取り付けられているが、側面や背面を含めた上半身は覆えないため、着座した人の身体全体の保温を得られないなどの不便や欠点があった。
【課題を解決するための手段】
【０００６】  本考案は車椅子に着座した人の防寒カバーであって、請求項１においては、車椅子に着座した人用の防寒カバーであって、防寒カバーの素材は芯材を入れた合わせ生地とし、身体の首から足先までの後面と側部を包める大きさで略長方形状の一方端部を所定の高さに折り曲げて成る箱縁を形成し、その対向側端部に所定の幅で突設する衿部を設け、かつ、その衿部の背面と前記箱縁の外面に、オスメスで一組とする面ファスナーを設けるとともに、前記箱縁近くから衿部近くまでの両サイドにスライドファスナーを取り付けて成る後カバー本体を形成し、該後カバー本体に、前記後カバー本体の長さと略同じ程度で、かつ箱縁の幅と同じ程度の幅を成す一方端部に、一定の間隔を空けて突設するバンド帯を設けるとともに、該バンド帯の背面と、対向側端部の背面に、面ファスナーを設けて成る前カバーを形成し、該前カバーと、前記後カバー本体の二つを一組とする構成を特徴とする車椅子用防寒カバーとする。【０００７】  請求項２においては、前記する後カバー本体の背面の複数個所に、オス面ファスナーとメス面ファスナーを一組とする係止部材を取り付けた請求項１に記載する車椅子用防寒カバーとする。【０００８】  請求項３においては、前記する前カバーのバンド帯寄りの両端部と、後カバー本体の衿部寄り両端部に、一組のホックを取り付けて成る請求項１又は請求項２に記載する車椅子用防寒カバーとする。【０００９】  請求項４においては、前記する後カバー本体の内側面に、蓄熱マット等を入れるマット収納袋を取り付けて成る車椅子用防寒カバーとする。【００１０】  請求項５においては、前記する後カバー本体の背面に、ゴム等の結び紐を取り付けて成る車椅子用防寒カバーとする。
【考案の効果】
【００１１】  本考案による車椅子用防寒カバーは、首から下の足先までを寝袋状の防寒カバーで包むように覆えるので、着座した人の腕を含む全身を覆える。しかもその防寒カバーの両サイドのスライドファスナー上部を半分開けると腕を出して車椅子の操作ができる上、下部端部を開けて足首の通気を良くすることもできる機能的にして見た目にも体裁の良い車椅子用防寒カバーとなる。【００１２】  さらに、防寒カバーは二枚の布地の間に毛や綿の保温素材を入れてキルティング加工によるものであるので温かく、かつ表面は防水加工を施したカバーであるので、保温、防寒、防水、装飾性を得られる車椅子用の防寒カバーを提供する。【００１３】  加えて、防寒カバーの背面には、車椅子のフレームが当たる部位の複数個所に係止部材となるオスメスを一組とする面ファスナーを備えているので、車椅子のフレームや座板に確実にして安定した状態に取り付けられるので、着座している人がズレたり防寒カバーごと落下するような心配は全く無い。【００１４】  さらに背面カバー本体にマット収納袋を設けているので、北国などとりわけ寒さが厳しい場所での使用においては、バッテリーによる電気マットを具備したり、携帯電話の電源としても使える、保温と防寒と防水性を兼ね備えた、従来には見られない機能的にして取り扱い易い車椅子用の防寒カバーを広く提供できる。
【図面の簡単な説明】
【００１５】
【図１】本考案の防寒カバーの実施形態を示す分解斜視図である。
【図２】防寒カバーにおける後カバー本体の背面に取り付ける係止部材の拡大斜視図である。
【図３】防寒カバーの後カバー本体を示す背面斜視図である。
【図４】防寒カバーの前カバーを示す背面斜視図である。
【図５】本考案の防寒カバーの後カバー本体に、前カバーを組み合わせて立体状にした状態を示す一部を開放した斜視図である。
【図６】本考案の防寒カバーを車椅子に取り付けて、一部を開放した状態の参考斜視図である。
【図７】本考案の防寒カバーを車椅子に取り付けて、着座した人の使用状態であり、（イ）図は全身を包んだ状態を示す参考図であり、（ロ）図は両側のスライドファスナー上部を開けて自身で運転する状態を示す参考図であり、（ハ）図は左右のフライドファスナーを腰部位まで開けて、残りは膝の上に折りたたんだ状態を示す参考図である。
【考案を実施するための形態】
【００１６】  本考案の防寒カバーを、図１に示す分解斜視図と図２に示す係止部材の拡大斜視図、図３の防寒カバーの後カバーを示す背面斜視図、図４に示す防寒カバーの前カバーを示す背面斜視図と図５に示す防寒カバーを組み合わせた状態の一部を開放した斜視図及び図６〜図７に示す使用状態参考図で説明する。
【００１７】  本考案による防寒カバー１を形成する素材は、二枚の布地の間に綿や毛の芯材を挟んだ上面にステッチ加工を施して成る合わせ生地とし、その合わせ生地によって、車椅子に着座した人の首部位から足先まで覆う後カバー本体２と、その前を覆う前カバー３の二つを組み合わせて一組とする車椅子用の防寒カバー１とする。
【００１８】  以下、さらに詳述するとともに使用方法を説明する。まず、合わせ生地による防寒カバー１は、長さ約１３００ｍｍ程度で、幅約９００ｍｍ位いで成る略長方形状の一方端部の中ほどを、幅約３００ｍｍで高さ約２０ｍｍ程上方に折り返して成る箱縁４を形成するとともに、その対向側端部の中ほどには、幅約３００ミリ、高さ約５０ｍｍ程度突設する衿部５を設け、かつその衿部５の裏面にはオスメス一組とする一方の面ファスナー６を設けるとともに、前記する箱縁４の外側面にも、オスメス一組とする一方の面ファスナー６を設けて成る後カバー本体２を形成する。
【００１９】  さらに、その後カバー本体２の長手方向の箱縁４部近くからに衿部５の近くまで達する後カバー本体２の両サイドには、オスメスで一組とする一方のスライドファスナー７を取り付けるとともに、その後カバー本体２の内側面には、蓄熱マットやインスタントカイロ等を収められる矩形状のマット収納袋８を縫い付け、かつ背面の上下中ほどには車椅子の座板に固定するゴム等の結び紐９を取り付けるとともに、前記する箱縁４の側部２か所と、前記する結び紐９を挟んだ箱縁４側の左右４か所と、衿部５側の側左右２か所には、図２に示すようにオス面ファスナー１０とメス面ファスナー１１を一組とする係止部材１２を縫い付けるとともに、前記衿部５寄りの左右両端部にオスメス二つで一組とするホック１３を取り付けて成る後カバー本体２を形成する。
【００２０】  次に、前記する後カバー本体２に組み合わせる前カバー３を説明する。これは前記する後カバー本体２の箱縁４の外側下部から対向側の衿部５まで至る長さ約１３００ｍｍ程度で、かつ幅は前記する後カバー２の箱縁４の幅と同程度で成る略長方形状の一方端部に、前記後カバー本体２の衿部５の背部に届く長さの二つのバンド帯１４，１４を一定間隔空けて突設するとともに、そのバンド帯１４の裏面には、前記後カバー本体２の衿部５背面の面ファスナー６に係止できる面ファスナー６を設け、かつ対向側の前カバー３端部の裏面にも、前記する後カバー本体２の箱縁４の外面に設けた面ファスナー６に係止できる、面ファスナー６を設けて成る前カバー３を形成するとともに、前記した二つのバンド帯１４，１４の間に、箱縁４方向に一定長のスライドファスナー７を取り付けて成る前カバー３を形成し、その前カバー３と前記後カバー本体２の二つを一組とする車椅子用の防寒カバー１を構成する。
【００２１】  本考案は以上のような構成であるが、前記する係止部材１２とするものはオス面ファスナー１０とメス面ファスナー１１を背中合わせにしたものであるが、他の部位のスライドファスナー７やホック１３や面ファスナー６は特に明示していないが、互いに二つが組み合わされるものであるので、どちらがオスかメスか特定しないものとする。
【００２２】  本考案による防寒カバー１は以上のような構成を成すので、まず、後カバー本体２と前カバー３の両サイドに設けたスライドファスナー７により寝袋状にすることもできるし、二つを完全に分離することも可能である。また寝袋状にしても足元側はオスメス一組の面ファスナー６により閉じたり開放することができる上、後カバー本体２と前カバー３の上部もバンド帯１４により閉じたり開放することが容易である。加えて、後カバー本体２の背面には、車椅子Ａのフレームが当たる部位の複数個所に、図２に示すようなオスメス一組で成る係止部材１２を複数個取り付け、かつ中ほどには伸縮する結び９を取り付けているので、ベースとなる後カバー本体２は図４に示すように車椅子Ａの座板やフレームにしっかりと安定して取り付けられる。
【００２３】  加えて、後カバー本体２と前カバー３は、前記する後カバー本体２の箱縁４の外面に設けた面ファスナー６から対向側の衿部５近くまで届き、かつその両サイドには、前記後カバー本体２に係合するスライドファスナー７とホック１３を取り付けているので、後カバー本体２と前カバー３を合わせて両サイドを閉じれば、図５に示すように寝袋状に形成できるとともに、車椅子Ａに取り付けた後、片面のスライドファスナー７を開けると図６に示すように前カバー３のみ開放して全開できる。
【００２４】  次に、このような防寒カバー１を車椅子Ａに取り付けた上で人が着座した状態の使用例図６の（イ）から（ハ）図で説明する。（イ）図は防寒カバー１の両サイドと衿部５のスライドファスナー７を閉じると、寝袋状に首の下から足先まで全身を完全に包んで防寒できる。また衿部５と両サイド上部のスライドファスナー７を開放すると、（ロ）のように腕を出して本人自身で車椅子Ａの運転ができる状態となる。さらに両サイドのスライドファスナー７を腰部位まで開放して残りは膝の上に折りたたむと（ハ）図のように体裁良くまとめられる車椅子用の防寒カバー１となる。
【００２５】  本考案による後カバー本体２には、車椅子Ａのフレームに取り付ける係止部材１２を複数個設けているが、その場所や個数は特に限定しない。またマット収納袋８は一つの袋体であるが、上下二つでもよく、いずれも特に限定するものではない。
【符号の説明】
【００２５】１  防寒カバー
２  後カバー本体
３  前カバー
４  箱縁
５  衿部
６  面ファスナー
７  スライドカバー
８  マット収納袋
９  結び紐
１０  オス面ファスナー
１１  メス面ファスナー
１２  係止部材
１３  ホック
１４  バンド帯
Ａ  車椅子
【図１】
0003163818.tif 000003
【図２】
0003163818.tif 000004
【図３】
0003163818.tif 000005
【図４】
0003163818.tif 000006
【図５】
0003163818.tif 000007
【図６】
0003163818.tif 000008
【図７】
0003163818.tif 000009